(57)【要約】【課題】印刷物の任意のページに任意の位置、サイズおよび印字内容でタグを付加して出力することの可能な印刷システムを提供する。【解決手段】プリンタ２はパソコン１から印刷ジョブを受信すると、受信した印刷ジョブに含まれるページサイズ情報およびタグ位置情報を参照してタグの長手方向が連続用紙の搬送方向と直交するように前記連続用紙上にタグおよび各ページの画像を配置するのに最適な連続用紙を選択する。そして、選択した連続用紙上に前記配列によりタグおよび各ページの画像を印刷し、ページごとに切断して、タグが付加されたページを含む印刷物を出力する。【選択図】            図１０
2005038066.tif 000002
【特許請求の範囲】
【請求項１】
印刷物の各ページを印刷するためのページ印刷データを作成するページ印刷データ作成ステップと、
前記印刷物の特定ページにタグを付加するか否かを設定するタグ付加設定ステップと、
前記特定ページにタグを付加する設定がなされた場合に、前記特定ページに付加するタグを印刷するためのタグ印刷データを作成するタグ印刷データ作成ステップと、
前記ページ印刷データおよび前記タグ印刷データを含む印刷ジョブを作成する印刷ジョブ作成ステップと、
前記印刷ジョブを送信する印刷ジョブ送信ステップと、
を印刷ジョブ作成装置に実行させることを特徴とする印刷ジョブ作成プログラム。
【請求項２】
前記タグ付加設定ステップは、タグを付加するページならびにタグの幅、位置および印字内容をさらに設定することを特徴とする請求項１に記載の印刷ジョブ作成プログラム。
【請求項３】
印刷物の各ページを印刷するためのページ印刷データおよび特定ページに付加するタグを印刷するためのタグ印刷データを含む印刷ジョブを受信する印刷ジョブ受信手段と、
前記印刷ジョブに含まれるページ印刷データおよびタグ印刷データに基づいてタグが付加された前記特定ページを含む前記印刷物の各ページの画像を連続用紙上に印刷する印刷手段と、
前記印刷物の各ページ画像が印刷された連続用紙をページごとに切断して前記印刷物を出力する連続用紙切断手段と、
を有することを特徴とする印刷装置。
【請求項４】
前記印刷手段は、前記印刷ジョブに含まれるページサイズ情報およびタグ位置情報に基づいてタグの長手方向が連続用紙の搬送方向と直交するように前記連続用紙上にタグおよび各ページの画像を配置して印刷することを特徴とする請求項３に記載の印刷装置。
【請求項５】
前記印刷ジョブに含まれるページサイズ情報およびタグ位置情報に基づいてタグの長手方向が連続用紙の搬送方向と直交するようにタグおよび各ページの画像を配置するのに最適な前記連続用紙のサイズを選択する連続用紙サイズ選択手段をさらに有することを特徴とする請求項４に記載の印刷装置。
【発明の詳細な説明】
【０００１】
【発明の属する技術分野】
本発明は、連続用紙を用いる印刷装置を備えた印刷システムであって、印刷物の任意のページにタグを付加して出力することの可能な印刷システムに関する。
【０００２】
【従来の技術】
書類を整理してファイリングするために、書類の特定のページにタグを付すことが行われているが、かかる作業は煩雑であるため印刷装置により予め特定のページにタグが付加された印刷物を出力できれば便利である。
【０００３】
しかし、タグを付加したページはタグを付加していないページよりもタグの分だけページサイズが大きくなるので、カット紙（単票紙）による印刷装置を用いた場合、タグ付きページとそれ以外のページとで用紙サイズを変更する必要があり複雑な印刷機構になるとともに、タグ付きページを印刷するための特殊なサイズの用紙を用意する必要があり、さらにタグの位置やサイズを任意に設定することが困難であること、用紙サイズの頻繁な切り替え作業により印刷処理時間が長くなること等の問題があった。
【０００４】
一方、連続印画紙に写真をプリントする写真プリント装置において、写真プリントと異なるサイズのインデックスプリントを同時に出力するものが知られている（特許文献１および特許文献２参照）。しかし、前記写真プリント装置では、インデックスプリントの大きさは写真プリントの枚数に応じて、または所定のインデックスフォーマットを選択することによって決定されるものであり、印刷物の任意のページに任意の位置、サイズおよび印字内容でタグを付加して出力することのできる印刷システムは知られていなかった。
【０００５】
【特許文献１】
特開平９−２６６６０号公報
【特許文献２】
特開平７−２３４４５４号公報
【０００６】
【発明が解決しようとする課題】
本発明は上記従来技術の有する問題点に鑑みなされたものであり、その目的とするところは、印刷物の任意のページに任意の位置、サイズおよび印字内容でタグを付加して出力することの可能な印刷システムを提供することにある。
【０００７】
【課題を解決するための手段】
本発明の上記目的は、下記の手段によって達成される。
【０００８】
（１）  印刷物の各ページを印刷するためのページ印刷データを作成するページ印刷データ作成ステップと、
前記印刷物の特定ページにタグを付加するか否かを設定するタグ付加設定ステップと、
前記特定ページにタグを付加する設定がなされた場合に、前記特定ページに付加するタグを印刷するためのタグ印刷データを作成するタグ印刷データ作成ステップと、
前記ページ印刷データおよび前記タグ印刷データを含む印刷ジョブを作成する印刷ジョブ作成ステップと、
前記印刷ジョブを送信する印刷ジョブ送信ステップと、
を印刷ジョブ作成装置に実行させることを特徴とする印刷ジョブ作成プログラム。
【０００９】
（２）  前記タグ付加設定ステップは、タグを付加するページならびにタグの幅、位置および印字内容をさらに設定することを特徴とする（１）に記載の印刷ジョブ作成プログラム。
【００１０】
（３）  印刷物の各ページを印刷するためのページ印刷データおよび特定ページに付加するタグを印刷するためのタグ印刷データを含む印刷ジョブを受信する印刷ジョブ受信手段と、
前記印刷ジョブに含まれるページ印刷データおよびタグ印刷データに基づいてタグが付加された前記特定ページを含む前記印刷物の各ページの画像を連続用紙上に印刷する印刷手段と、
前記印刷物の各ページ画像が印刷された連続用紙をページごとに切断して前記印刷物を出力する連続用紙切断手段と、
を有することを特徴とする印刷装置。
【００１１】
（４）  前記印刷手段は、前記印刷ジョブに含まれるページサイズ情報およびタグ位置情報に基づいてタグの長手方向が連続用紙の搬送方向と直交するように前記連続用紙上にタグおよび各ページの画像を配置して印刷することを特徴とする（３）に記載の印刷装置。
【００１２】
（５）  前記印刷ジョブに含まれるページサイズ情報およびタグ位置情報に基づいてタグの長手方向が連続用紙の搬送方向と直交するようにタグおよび各ページの画像を配置するのに最適な前記連続用紙のサイズを選択する連続用紙サイズ選択手段をさらに有することを特徴とする（４）に記載の印刷装置。
【００１３】
【発明の実施の形態】
以下、本発明の実施の形態を、図面を参照して詳細に説明する。
【００１４】
図１は、本発明の実施形態にかかる印刷装置が適用された印刷システムの全体構成を示すブロック図である。図１に示すように、本実施形態にかかる印刷システムは、印刷ジョブ作成装置としてのパソコン１と、印刷装置としてのプリンタ２とを備え、これらはネットワーク３を介して相互に通信可能に接続されている。なお、ネットワーク３に接続される機器の種類および台数は、図１に示す例に限定されない。また、パソコン１とプリンタ２とは、ネットワーク３を介することなく直接機器間で接続（ローカル接続）されていてもよい。
【００１５】
つぎに、上記各機器の構成について説明するが、上記各機器は後述する構成要素以外の構成要素を含んでいてもよく、あるいは、後述する構成要素のうちの一部が含まれていなくてもよい。また、各機器で同様の機能を有する部分については、説明の重複を避けるため初回のみその説明を行い、２回目以降はその説明を省略する。
【００１６】
図２は、本実施形態にかかるパソコン１の構成を示すブロック図である。図２に示すように、パソコン１は、ＣＰＵ１１、ＲＯＭ１２、ＲＡＭ１３、ハードディスク１４、ディスプレイ１５、入力装置１６およびネットワークインタフェース１７を備えており、これらは信号をやり取りするためのバス１８を介して相互に接続されている。
【００１７】
ＣＰＵ１１は、プログラムにしたがって上記各部の制御や各種の演算処理等を行う。ＲＯＭ１２は、パソコン１の基本動作を制御する各種プログラムやパラメータを格納する。ＲＡＭ１３は、作業領域として一時的にプログラムやデータを記憶する。ハードディスク１４は、ＯＳ（Ｏｐｅｒａｔｉｎｇ  Ｓｙｓｔｅｍ）や後述するパソコン１の所定の動作を制御するためのプリントドライバ等のプログラムやパラメータを格納する。ディスプレイ１５は、各種の情報を表示する。入力装置１６は、キーボードやマウス等であり、各種の入力を行うために使用される。ネットワークインタフェース１７は、ネットワークに接続しネットワーク上の他の機器と通信するためのインタフェースであり、イーサネット（登録商標）、トークンリング、ＦＤＤＩ等の規格が用いられる。
【００１８】
図３は、本実施形態にかかるプリンタ２の構成を示すブロック図である。プリンタ２は、連続用紙への印刷が可能なプリンタであり、図３に示すように、ＣＰＵ２１、ＲＯＭ２２、ＲＡＭ２３、操作パネル部２４、印刷部２５、コントローラインタフェース２６およびバス２７を有している。
【００１９】
操作パネル部２４は、タッチパネル、タッチパネル外の固定キー、表示ランプ等で構成されており、各種の入力と表示を行うために使用される。
【００２０】
印刷部２５は、電子写真方式により連続用紙に印刷画像データを印刷する。図４は、プリンタ２の印刷部２５の構成の一例を示す図である。図４に示すように、印刷部２５は、搬送ローラ２５１、画像形成部２５２、定着部２５３およびカッター２５４を備えている。印刷部２５には、各種サイズの連続用紙がセットされており、印刷ジョブをもとに後述する手順に従って適切なサイズの連続用紙４を選択し、搬送ローラ２５１により上記各部に搬送する。画像形成部２５２は、印刷画像データに従って帯電、感光、現像および転写処理を行い、イエロー（Ｙ）、マゼンダ（Ｍ）、シアン（Ｃ）およびブラック（Ｋ）の各色トナーにより搬送された連続用紙４上に印刷画像を形成する。定着部２５３は、搬送された連続用紙４上の印刷画像を定着させる。カッター２５４は、連続用紙４の先端部を検出するセンサを有しており、搬送された連続用紙４を所定のタイミングで切断する。
【００２１】
ネットワーク３は、イーサネット（登録商標）、トークンリング、ＦＤＤＩ等の規格によりコンピュータやネットワーク機器同士を接続したＬＡＮや、ＬＡＮ同士を専用線で接続したＷＡＮ等からなる。
【００２２】
つぎに、本実施形態における印刷システムの動作の概要を説明する。図５は、本実施形態におけるパソコン１の印刷ジョブ作成処理の手順を示すフローチャートである。なお、図５のフローチャートにより示されるアルゴリズムは、パソコン１のハードディスク１４にプリンタドライバ等のプログラムとして記憶されており、印刷ジョブ作成処理の開始の際にＲＡＭ１３に読み出されてＣＰＵ１１によって実行される。
【００２３】
図５において、パソコン１は、アプリケーションからの処理の開始命令の入力を受けて印刷ジョブ作成処理を開始すると、まず初めに、各種印刷条件の設定を行う（Ｓ１０１）。印刷条件の設定は、プリンタの設定画面からの印刷条件の入力に従って行われ、印刷部数、印刷範囲（印刷するページの指定）、ページサイズ、ページの向き、カラー／モノクロ印刷の別、レイアウト（Ｎページ分のデータを１ページの出力データに配置する機能（Ｎｉｎ１）等）、仕上げ機能（ステープル機能、パンチホール機能等）等の各種印刷条件を設定する。
【００２４】
さらに、パソコン１は、出力する印刷物にタグを付けるか否かの設定を行う（Ｓ１０２）。タグの設定は、タグ設定画面からの各種タグ設定条件の入力に従って行われる。図６は、パソコン１がディスプレイ１５に表示するタグ設定画面の一例を示す図である。図６に示すように、タグ設定画面４では、タグの設定に関して、ラジオボタンやスクロールバー等を利用して、「タグ」、「幅」、「位置」、「印字方向」、「フォントサイズ」、「タグページ設定」等の項目についてのタグ設定条件の入力が行えるようになっている。「タグ」では、印刷物の特定のページにタグを付けるか否かを指定する。また、「幅」では前記ページにつけるタグの幅を、「位置」ではタグを前記ページの上または右のいずれの位置につけるかを、「印字方向」ではタグに印字する文字の方向を、「フォントサイズ」ではタグに印字する文字のサイズを、「タグページ指定」では、タグを付けるページとその印字内容を、それぞれ指定する。さらに、タグに印字する文字の色や印字位置の指定等の各種タグ設定条件を指定するようにしてもよい。
【００２５】
図７は、図６のタグ設定画面４のタグ設定によるタグ付きページの出力結果を説明するための図である。図７において、ページ５１および５２は、ステップＳ１０１の印刷条件の設定において同じページサイズで向きのみが異なって（ページ５１は縦向き、ページ５２は横向き）指定されたページである。図７の（ａ）と（ｂ）とは、タグ設定画面４において「幅」の設定のみを変更した場合の出力結果を示しており、ページ５１に対して互いに異なる幅のタグ６１と６２とが付加されている。（ｃ）と（ｄ）、（ｅ）と（ｆ）および（ｇ）と（ｈ）との関係もこれと同様であり、（ｃ）と（ｄ）ではページ５１に対して互いに異なる幅のタグ６３と６４とが付加されており、（ｅ）と（ｆ）および（ｇ）と（ｈ）ではページ５２に対して互いに異なる幅のタグ６５と６６、および６７と６８がそれぞれ付加されている。また、（ａ）と（ｃ）とは、タグ設定画面４において「位置」の設定のみを変更した場合の出力結果を示しており、（ａ）ではページ５１の右側に、（ｃ）では上側にタグ６１と６３とがそれぞれ付加されている。（ｂ）と（ｄ）、（ｅ）と（ｇ）および（ｆ）と（ｈ）との関係もこれと同様である。さらに、（ａ）、（ｂ）、（ｃ）、（ｄ）、（ｇ）および（ｈ）は、タグ設定画面４において「印字方向」を横に、（ｅ）および（ｆ）は縦に設定した場合の出力を示している。
【００２６】
パソコン１は、印刷条件の設定およびタグの設定を行った後印刷開始命令を待って（Ｓ１０３）、印刷物のページごとに印刷データを作成する。すなわち、印刷しようとするページにタグが設定されている場合は（Ｓ１０４のＹＥＳ）、ステップＳ１０２で設定したタグ設定条件に従って当該ページに付加するタグについてのタグ印刷データを作成する（Ｓ１０５）。さらに、当該ページにかかるページ印刷データの作成を行う（Ｓ１０６）。具体的には、ページ印刷データは、アプリケーションで作成もしくは更新した、または読み出した文書データや画像データ等のアプリケーションデータに対して色変換処理およびハーフトーン処理を施した後、当該ページにかかるアプリケーションデータをプリンタ２の解釈可能なページ記述言語を用いた印刷データに変換することにより作成する。タグ印刷データも同様に、前記ページ記述言語を用いて当該タグに印字する内容を作成する。一方、ステップＳ１０４で印刷しようとするページにタグが設定されていない場合は（Ｓ１０４のＮＯ）、当該ページにかかるページ印刷データの作成のみを行う（Ｓ１０６）。
【００２７】
そして、アプリケーションデータの印刷しようとする各ページについて順次上記印刷データの作成処理を行って（Ｓ１０７のＮＯおよびＳ１０４〜Ｓ１０６）、すべてのページについて上記印刷データの作成処理が終了したら（Ｓ１０７のＹＥＳ）、作成した印刷データを含む印刷ジョブを作成する（Ｓ１０８）。
【００２８】
図８は、パソコン１が作成する印刷ジョブの一例を示す図である。図８に示すように、印刷ジョブ７の先頭には、ステップＳ１０１で設定したページサイズやページの向き等の情報を含むページ設定情報７１およびステップＳ１０２で設定したタグの幅や位置等の情報を含むタグ設定情報７２が含まれている。さらに、印刷ジョブ７には、ステップＳ１０６で作成したページ印刷データ７３が含まれるとともに、タグが設定されているページにかかるページ印刷データの直前には、ステップＳ１０５で作成した当該ページにかかるタグのタグ印刷データ７４が挿入されている。
【００２９】
そして、パソコン１は、作成した印刷ジョブをネットワークインタフェース１７およびネットワーク３を介してプリンタ２に送信する（Ｓ１０９）。
【００３０】
つぎに、本実施形態におけるプリンタ２の印刷処理の手順について説明する。図９は、本実施形態におけるプリンタ２の印刷処理の手順を示すフローチャートである。なお、図９のフローチャートにより示されるアルゴリズムは、プリンタ２のＲＯＭ２２に制御プログラムとして記憶されており、印刷処理の開始の際にＲＡＭ２３に読み出されてＣＰＵ２１によって実行される。
【００３１】
図９において、プリンタ２は、パソコン１から印刷ジョブを受信するまで待機し（Ｓ２０１のＮＯ）、パソコン１からネットワーク３およびネットワークインタフェース２６を介して印刷ジョブを受信すると（Ｓ２０１のＹＥＳ）、受信した印刷ジョブをＲＡＭ２３に保存する（Ｓ２０２）。次いで、受信した印刷ジョブに含まれるページ設定情報およびタグ設定情報に基づいて当該印刷処理に用いる連続用紙のサイズを選択する（Ｓ２０３）。図１０は、本実施形態においてプリンタ２が選択する連続用紙のサイズについて説明するための図である。図１０（ａ）は、図７（ａ）に示すタグ付きページを含む印刷ジョブに対して連続用紙のサイズを選択する例について説明したものである。すなわち、プリンタ２は、パソコン１から受信した印刷ジョブ７に含まれるページ設定情報７１およびタグ設定情報７２を参照して、タグ６１の長手方向が連続用紙４の搬送方向と直交するようにタグ６１およびページ５１を配列し、かかる配列に最適な連続用紙４のサイズを選択する。図１０（ｂ）は、図７（ｃ）に示すタグ付きページを含む印刷ジョブに対するものであり、同様に、タグ６２の長手方向が連続用紙４の搬送方向と直交するようにタグ６２およびページ５１が配列された場合に最適な連続用紙４のサイズが選択されている。
【００３２】
ついで、プリンタ２は、印刷ジョブに含まれるタグ印刷データおよびページ印刷データをラスタライズして印刷画像データを生成し（Ｓ２０４）、ＲＡＭ２３に保存する。そして、ステップＳ２０４で取得した印刷画像データを、印刷部２５の画像形成部２５２および定着部２５３により、ステップ２０３で選択した連続用紙４上に印刷し（Ｓ２０５）、連続用紙４の切断部８（図１０参照）に沿ってカッター２５４によりページごとに切断して印刷物を排出し（Ｓ２０６）、当該印刷処理を終了する。
【００３３】
上記各実施形態では、本発明の印刷システムを、印刷ジョブ作成装置としてパソコン、および印刷装置としてプリンタを例にして説明したが、本発明はこれに限定されるものではない。印刷ジョブ作成装置は、パソコン以外にも、ワークステーション、サーバ等のコンピュータ、携帯電話、ＰＨＳ（登録商標）、ＰＤＡ、電子手帳等の携帯用端末等であってもよい。また、印刷装置は、プリンタ以外にも、デジタル複写機、ファクシミリ装置等の印刷機能を有する多機能周辺機器（ＭＦＰ）等であってもよい。
【００３４】
本発明による印刷ジョブ作成装置および印刷装置は、上記各手順を実行するための専用のハードウエア回路によっても、また、上記各手順を記述したプログラムをＣＰＵが実行することによっても実現することができる。後者により本発明を実現する場合、印刷ジョブ作成装置および印刷装置を動作させる上記プログラムは、フロッピー（登録商標）ディスクやＣＤ−ＲＯＭ等のコンピュータ読み取り可能な記録媒体によって提供されてもよいし、インターネット等のネットワークを介してオンラインで提供されてもよい。この場合、コンピュータ読み取り可能な記録媒体に記録されたプログラムは、通常、ＲＯＭやハードディスク等に転送され記憶される。また、このプログラムは、たとえば、単独のアプリケーションソフトとして提供されてもよいし、印刷ジョブ作成装置および印刷装置の一機能としてその装置のソフトウエアに組み込んでもよい。
【００３５】
上述した本発明の実施形態には、特許請求の範囲の請求項１〜５に記載した発明以外にも、以下の付記１〜１２に示すような発明が含まれる。
【００３６】
［付記１］  印刷物の各ページを印刷するためのページ印刷データを作成するページ印刷データ作成手段と、
前記印刷物の特定ページにタグを付加するか否かを設定するタグ付加設定手段と、
前記特定ページにタグを付加する設定がなされた場合に、前記特定ページに付加するタグを印刷するためのタグ印刷データを作成するタグ印刷データ作成手段と、
前記ページ印刷データおよび前記タグ印刷データを含む印刷ジョブを作成する印刷ジョブ作成手段と、
前記印刷ジョブを送信する印刷ジョブ送信手段と、
を有することを特徴とする印刷ジョブ作成装置。
【００３７】
［付記２］  前記タグ付加設定手段は、タグを付加するページならびにタグの幅、位置および印字内容をさらに設定することを特徴とする付記１に記載の印刷ジョブ作成装置。
【００３８】
［付記３］  印刷物の各ページを印刷するためのページ印刷データおよび特定ページに付加するタグを印刷するためのタグ印刷データを含む印刷ジョブを受信する印刷ジョブ受信ステップと、
前記印刷ジョブに含まれるページ印刷データおよびタグ印刷データに基づいてタグが付加された前記特定ページを含む前記印刷物の各ページの画像を連続用紙上に印刷する印刷ステップと、
前記印刷物の各ページ画像が印刷された連続用紙をページごとに切断して前記印刷物を出力する連続用紙切断ステップと、
を有することを特徴とする印刷方法。
【００３９】
［付記４］  前記印刷ステップは、前記印刷ジョブに含まれるページサイズ情報およびタグ位置情報に基づいてタグの長手方向が連続用紙の搬送方向と直交するように前記連続用紙上にタグおよび各ページの画像を配置して印刷することを特徴とする付記３に記載の印刷方法。
【００４０】
［付記５］  前記印刷ジョブに含まれるページサイズ情報およびタグ位置情報に基づいてタグの長手方向が連続用紙の搬送方向と直交するようにタグおよび各ページの画像を配置するのに最適な前記連続用紙のサイズを選択する連続用紙サイズ選択ステップをさらに有することを特徴とする付記４に記載の印刷方法。
【００４１】
［付記６］  印刷物の各ページを印刷するためのページ印刷データを作成するページ印刷データ作成ステップと、
前記印刷物の特定ページにタグを付加するか否かを設定するタグ付加設定ステップと、
前記特定ページにタグを付加する設定がなされた場合に、前記特定ページに付加するタグを印刷するためのタグ印刷データを作成するタグ印刷データ作成ステップと、
前記ページ印刷データおよび前記タグ印刷データを含む印刷ジョブを作成する印刷ジョブ作成ステップと、
前記印刷ジョブを送信する印刷ジョブ送信ステップと、
を有することを特徴とする印刷ジョブ作成方法。
【００４２】
［付記７］  前記タグ付加設定ステップは、タグを付加するページならびにタグの幅、位置および印字内容をさらに設定することを特徴とする付記６に記載の印刷ジョブ作成方法。
【００４３】
［付記８］  印刷物の各ページを印刷するためのページ印刷データおよび特定ページに付加するタグを印刷するためのタグ印刷データを含む印刷ジョブを受信する印刷ジョブ受信ステップと、
前記印刷ジョブに含まれるページ印刷データおよびタグ印刷データに基づいてタグが付加された前記特定ページを含む前記印刷物の各ページの画像を連続用紙上に印刷する印刷ステップと、
前記印刷物の各ページ画像が印刷された連続用紙をページごとに切断して前記印刷物を出力する連続用紙切断ステップと、
を印刷装置に実行させることを特徴とする印刷プログラム。
【００４４】
［付記９］  前記印刷ステップは、前記印刷ジョブに含まれるページサイズ情報およびタグ位置情報に基づいてタグの長手方向が連続用紙の搬送方向と直交するように前記連続用紙上にタグおよび各ページの画像を配置して印刷することを特徴とする付記８に記載の印刷プログラム。
【００４５】
［付記１０］  前記印刷ジョブに含まれるページサイズ情報およびタグ位置情報に基づいてタグの長手方向が連続用紙の搬送方向と直交するようにタグおよび各ページの画像を配置するのに最適な前記連続用紙のサイズを選択する連続用紙サイズ選択ステップをさらに印刷装置に実行させることを特徴とする付記９に記載の印刷プログラム。
【００４６】
［付記１１］  付記８〜１０のいずれか１つに記載の印刷プログラムを記録したコンピュータ読み取り可能な記録媒体。
【００４７】
［付記１２］  請求項１または２に記載の印刷ジョブ作成プログラムを記録したコンピュータ読み取り可能な記録媒体。
【００４８】
【発明の効果】
上述したように、本発明の印刷システムによれば、印刷物の任意のページに任意の位置、サイズおよび印字内容でタグを付加して出力することができる。特に、カット紙による印刷装置を用いた場合に比べて、複雑な印刷機構を採る必要がなく、特殊なサイズの用紙を用意しなくても通常サイズの連続用紙を用いて任意の位置やサイズによりページにタグを付加することができ、しかもページサイズ切り替えが容易であるため印刷処理時間が短い等の効果を奏するものである。
【図面の簡単な説明】
【図１】本発明の実施形態にかかる印刷装置が適用された印刷システムの全体構成を示すブロック図である。
【図２】図１におけるパソコン１の構成を示すブロック図である。
【図３】図１におけるプリンタ２の構成を示すブロック図である。
【図４】プリンタ２の印刷部２５の構成の一例を示す図である。
【図５】パソコン１の印刷ジョブ作成処理の手順を示すフローチャートである。
【図６】パソコン１がディスプレイ１５に表示するタグ設定画面の一例を示す図である。
【図７】図６のタグ設定画面４のタグ設定によるタグ付きページの出力結果を説明するための図である。
【図８】パソコン１が作成する印刷ジョブの一例を示す図である。
【図９】プリンタ２の印刷処理の手順を示すフローチャートである。
【図１０】プリンタ２が選択する連続用紙のサイズについて説明するための図である。
【符号の説明】
１…パソコン、
２…プリンタ、
３…ネットワーク、
４…連続用紙、
１１、２１…ＣＰＵ、
１２、２２…ＲＯＭ、
１３、２３…ＲＡＭ、
１４…ハードディスク、
１５…ディスプレイ、
１６…入力装置、
１７、２６…ネットワークインタフェース、
１８、２７…バス、
２４…操作パネル部、
２５…印刷部、
２５１…搬送ローラ、
２５２…画像形成部、
２５３…定着部、
２５４…カッター。
【図１】
2005038066.tif 000003
【図２】
2005038066.tif 000004
【図３】
2005038066.tif 000005
【図４】
2005038066.tif 000006
【図５】
2005038066.tif 000007
【図６】
2005038066.tif 000008
【図７】
2005038066.tif 000009
【図８】
2005038066.tif 000010
【図９】
2005038066.tif 000011
【図１０】
2005038066.tif 000012